【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  複数の高周波数帯で、アナログ方式の放送とデジタル方式の放送とを含む複数の方式の放送を受信可能な放送受信機において、
各高周波数帯毎に設けられ、放送を受信して、周波数の変換および増幅を含む高周波アナログ信号処理を行う複数の高周波アナログ回路と、
各高周波数帯の高周波アナログ回路に対して共通に設けられ、各高周波数帯の高周波アナログ回路から周波数変換されて出力されるアナログ信号を、デジタル信号に変換する高速・高分解能のアナログ／デジタル変換回路と、
該複数の高周波数帯の高周波アナログ回路に対して共通に設けられ、前記アナログ／デジタル変換回路からのデジタル信号に、予め設定されるプログラムに従うデジタル信号処理を施し、アナログ方式の放送の受信内容およびデジタル方式の放送の受信内容を再生するデジタル信号処理回路とを含むことを特徴とする放送受信機。
【請求項２】  複数の高周波数帯で、アナログ方式の放送とデジタル方式の放送とを含む複数の方式の放送を受信可能な放送受信機において、
各高周波数帯毎に設けられ、放送を受信して、周波数の変換および増幅を含む高周波アナログ信号処理を行う複数の高周波アナログ回路と、
各高周波数帯の高周波アナログ回路に対して共通に設けられ、各高周波数帯の高周波アナログ回路から周波数変換されて出力されるアナログ信号を、デジタル信号に変換する高速・低分解能のアナログ／デジタル変換回路と、
該複数の高周波数帯の高周波アナログ回路に対して共通に設けられ、前記アナログ／デジタル変換回路からのデジタル信号に、予め設定されるプログラムに従うデジタル信号処理を施し、アナログ方式の放送の受信内容およびデジタル方式の放送の受信内容を再生するデジタル信号処理回路とを含み、
前記アナログ／デジタル変換回路は、高速の処理速度を要する出力信号よりも低速・高分解能を要する高周波アナログ回路からの出力信号を、アナログ／デジタル変換器によるデジタル信号への変換後に、ダウンサンプリングで低速・高分解能のデジタル信号に変換することを特徴とする放送受信機。
【請求項３】  前記デジタル信号処理回路は、予め設定されるプログラムに従うデジタル信号処理で、アナログ方式の放送の受信信号に対するノイズ低減処理を行うことを特徴とする請求項１または２記載の放送受信機。
【請求項４】  前記アナログ／デジタル変換回路は、放送受信用のアナログ／デジタル変換器と、アナログ方式の放送を受信する複数の高周波アナログ回路の出力からノイズを検出するように共通化されたノイズ検出用のアナログ／デジタル変換器とを備え、
前記デジタル信号処理回路は、ノイズ検出用のアナログ／デジタル変換器によって変換されるデジタル信号を用いてノイズを検出し、検出されたノイズに基づいて、放送受信用のアナログ／デジタル変換器によって変換されるデジタル信号中からノイズを低減することを特徴とする請求項３記載の放送受信機。
【請求項５】  前記アナログ方式の放送を受信する複数の高周波アナログ回路と前記共通化されたノイズ検出用のアナログ／デジタル変換器との間に、ノイズ検出用周波数帯域の信号成分を通過させる高域通過フィルタを備えることを特徴とする請求項４記載の放送受信機。
【請求項６】  前記アナログ／デジタル変換回路は、放送受信用のアナログ／デジタル変換器と、アナログ方式の放送を受信する複数の高周波アナログ回路からの出力信号に基づいて受信レベルを検出するように、共通化された受信レベル検出用のアナログ／デジタル変換器とを備え、
該複数の高周波アナログ回路と該受信レベル検出用のアナログ／デジタル変換器との間に、中間周波数帯域の信号成分を通過させる高域通過フィルタを備え、
前記デジタル信号処理回路は、信号レベル検出用のアナログ／デジタル変換器によって変換されるデジタル信号をノイズ処理の条件として使用し、放送受信用のアナログ／デジタル変換器によって変換されるデジタル信号からノイズを検出して、検出されるノイズを低減することを特徴とする請求項３記載の放送受信機。
【請求項７】  前記デジタル信号処理回路は、
前記複数の高周波アナログ回路によって受信され、アナログ／デジタル変換器によってデジタル信号に変換されるアナログ方式の放送受信信号に対し、共通のノイズ低減処理を行うことを特徴とする請求項３記載の放送受信機。
【請求項８】  前記デジタル信号処理回路は、
前記デジタル方式の放送受信時の受信状況が悪く、再生される受信内容に、信号の断続による断区間が生じるか否かを検出する断続音検出部と、
断続音検出部によって検出される断区間に挿入するための処理音信号を発生する処理音発生部と、
断続音検出部によって断区間が生じていることが検出されるとき、信号の断区間に、該処理音発生部から発生される処理音信号を挿入する断続音処理部とを含むことを特徴とする請求項１〜７のいずれかに記載の放送受信機。
【請求項９】  前記処理音発生部は、前記処理音としてノイズ音を発生することを特徴とする請求項８記載の放送受信機。
【手続補正２】
【補正対象書類名】明細書
【補正対象項目名】００１１
【補正方法】変更
【補正の内容】
【００１１】
【課題を解決するための手段】
本発明は、複数の高周波数帯で、アナログ方式の放送とデジタル方式の放送とを含む複数の方式の放送を受信可能な放送受信機において、
各高周波数帯毎に設けられ、放送を受信して、周波数の変換および増幅を含む高周波アナログ信号処理を行う複数の高周波アナログ回路と、
各高周波数帯の高周波アナログ回路に対して共通に設けられ、各高周波数帯の高周波アナログ回路から周波数変換されて出力されるアナログ信号を、デジタル信号に変換する高速・高分解能のアナログ／デジタル変換回路と、
該複数の高周波数帯の高周波アナログ回路に対して共通に設けられ、前記アナログ／デジタル変換回路からのデジタル信号に、予め設定されるプログラムに従うデジタル信号処理を施し、アナログ方式の放送の受信内容およびデジタル方式の放送の受信内容を再生するデジタル信号処理回路とを含むことを特徴とする放送受信機である。
【手続補正３】
【補正対象書類名】明細書
【補正対象項目名】００１２
【補正方法】変更
【補正の内容】
【００１２】
本発明に従えば、複数の高周波数帯に対し、それぞれ高周波アナログ回路が設けられ、放送を受信して、周波数の変換および増幅を含む高周波アナログ信号処理を行う。各高周波数帯の高周波アナログ回路から周波数変換されて出力されるアナログ信号は、アナログ／デジタル変換回路によってデジタル信号に変換される。アナログ／デジタル変換回路からのデジタル信号には、デジタル信号処理回路で、予め設定されるプログラムに従うデジタル信号処理が施され、アナログ方式の放送の受信内容およびデジタル方式の放送の受信内容が再生される。デジタル信号処理回路は、複数の高周波数帯の高周波アナログ回路に対して共通に設けられ、デジタル方式およびアナログ方式の放送内容を再生する。したがって、放送内容を再生するために信号処理を行う部分を各高周波数帯毎に設ける必要はなく、複数の放送メディアが受信可能な放送受信機の小型化を図ることができる。
また共通のアナログ／デジタル変換器によって、複数の高周波数帯の高周波アナログ回路からのアナログ信号をデジタル信号に変換する。一般に、複数の高周波アナログ回路から出力されるアナログ信号のデジタル信号への変換には、高速性が要求される場合は分解能が比較的低くてもよく、比較的低速な場合は高分解能が要求される。本発明のアナログ／デジタル変換器は、高速であるので、中間周波数が最も高い高周波アナログ回路から出力されるアナログ信号をデジタル信号に変換することができる。また、アナログ／デジタル変換器は、高分解能であるので、各高周波アナログ回路からのアナログ信号の分解能を落すことなく、デジタル信号に変換することができる。複数の高周波アナログ回路から出力されるアナログ信号を、単一のアナログ／デジタル変換器でデジタル信号に変換することができるので、高周波アナログ回路以降の小型化を容易に図ることができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
また本発明で、複数の高周波数帯で、アナログ方式の放送とデジタル方式の放送とを含む複数の方式の放送を受信可能な放送受信機において、
各高周波数帯毎に設けられ、放送を受信して、周波数の変換および増幅を含む高周波アナログ信号処理を行う複数の高周波アナログ回路と、
各高周波数帯の高周波アナログ回路に対して共通に設けられ、各高周波数帯の高周波アナログ回路から周波数変換されて出力されるアナログ信号を、デジタル信号に変換する高速・低分解能のアナログ／デジタル変換回路と、
該複数の高周波数帯の高周波アナログ回路に対して共通に設けられ、前記アナログ／デジタル変換回路からのデジタル信号に、予め設定されるプログラムに従うデジタル信号処理を施し、アナログ方式の放送の受信内容およびデジタル方式の放送の受信内容を再生するデジタル信号処理回路とを含み、
前記アナログ／デジタル変換回路は、高速の処理速度を要する出力信号よりも低速・高分解能を要する高周波アナログ回路からの出力信号を、アナログ／デジタル変換器によるデジタル信号への変換後に、ダウンサンプリングで低速・高分解能のデジタル信号に変換することを特徴とする放送受信機である。
【手続補正７】
【補正対象書類名】明細書
【補正対象項目名】００１６
【補正方法】変更
【補正の内容】
【００１６】
本発明に従えば、共通のアナログ／デジタル変換器によって、複数の高周波数帯の高周波アナログ回路からのアナログ信号をデジタル信号に変換する。アナログ／デジタル変換器は、高速であるので、最高の処理速度を要する高周波アナログ回路から出力されるアナログ信号を容易にデジタル信号に変換することができる。低速・高分解能を要する高周波アナログ回路からの出力信号は、アナログ／デジタル変換後にダウンサンプリングで信号の間引き処理を行うので、総合的な処理速度は低下しても、分解能を高めて、忠実にアナログ信号に変換することができる。したがってアナログ／デジタル変換回路は、高速かつ高分解能を備える必要はないので、低価格となり、製造コストの低減を図ることができる。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】削除
【補正の内容】
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】削除
【補正の内容】
【手続補正２６】
【補正対象書類名】明細書
【補正対象項目名】００４９
【補正方法】削除
【補正の内容】
【手続補正２７】
【補正対象書類名】明細書
【補正対象項目名】００５０
【補正方法】削除
【補正の内容】
【手続補正２８】
【補正対象書類名】明細書
【補正対象項目名】００５１
【補正方法】削除
【補正の内容】
【手続補正２９】
【補正対象書類名】明細書
【補正対象項目名】００５２
【補正方法】削除
【補正の内容】
【手続補正３０】
【補正対象書類名】明細書
【補正対象項目名】００５３
【補正方法】削除
【補正の内容】
【手続補正３１】
【補正対象書類名】明細書
【補正対象項目名】００５４
【補正方法】削除
【補正の内容】
【手続補正３２】
【補正対象書類名】明細書
【補正対象項目名】００６４
【補正方法】変更
【補正の内容】
【００６４】
図４は、本発明の実施の第４形態である放送受信機４０の概略的な電気的構成を示す。本実施形態では、アナログ方式の放送を受信する高周波アナログ部１２，１３の出力信号中に含まれるパルス性ノイズを、ノイズ処理部４１，４２によってそれぞれ低減させる。ノイズ処理部４１，４２は、ＡＤＣ部４４で変換されたデジタル信号からノイズを低減する処理を行うため、ノイズ検出部４３、切換スイッチ（以下、「切換ＳＷ」と略称する）４４、およびメモリ４５をそれぞれ含む。ノイズ処理部４１，４２は、ＤＳＰ部４７のプログラムによるデジタル信号処理の一部として実現される。すなわち、ＤＳＰ部４７は、予め設定されるプログラムに従うデジタル信号処理で、アナログ方式の放送の受信信号に対するノイズ低減処理を行う。
【手続補正３３】
【補正対象書類名】明細書
【補正対象項目名】０１１３
【補正方法】変更
【補正の内容】
【０１１３】
【発明の効果】
以上のように本発明によれば、複数の高周波数帯に対し、それぞれ放送を受信して周波数の変換および増幅を含む高周波アナログ信号処理を、高周波アナログ回路によって行い、アナログ／デジタル変換回路によってデジタル信号に変換する。複数の高周波数帯の高周波アナログ回路に対して共通に設けられるデジタル信号処理回路は、予め設定されるプログラムに従うデジタル信号処理によって、アナログ方式の放送の受信内容およびデジタル方式の放送の受信内容を再生するので、放送内容を再生するために信号処理を行う部分を各高周波数帯毎に設ける必要はなく、複数の放送メディアが受信可能な放送受信機の小型化を図ることができる。
またアナログ／デジタル変換器は高速・高分解能であるので、複数の高周波アナログ回路から出力されるアナログ信号を、共通のアナログ／デジタル変換器でデジタル信号に変換することができる。これによって高周波アナログ回路以降の小型化を容易に図ることができる。
【手続補正３４】
【補正対象書類名】明細書
【補正対象項目名】０１１４
【補正方法】削除
【補正の内容】
【手続補正３５】
【補正対象書類名】明細書
【補正対象項目名】０１１５
【補正方法】変更
【補正の内容】
【０１１５】
また本発明によれば、共通のアナログ／デジタル変換器は、最高の処理速度を要する出力信号に対応する高速性を備えるので、最高の処理速度を要する高周波アナログ回路から出力されるアナログ信号を容易にデジタル信号に変換することができる。アナログ／デジタル変換回路は、低速・高分解能を要する高周波アナログ回路からの出力信号をアナログ／デジタル変換後にダウンサンプリングで信号の間引き処理を行うので、分解能を高めて、忠実にアナログ信号に変換することができる。したがってアナログ／デジタル変換回路は、高速かつ高分解能を備える必要はないので、低価格となり、製造コストの低減を図ることができる。
【手続補正３６】
【補正対象書類名】明細書
【補正対象項目名】０１２０
【補正方法】削除
【補正の内容】
【手続補正３７】
【補正対象書類名】明細書
【補正対象項目名】０１２２
【補正方法】削除
【補正の内容】
【手続補正３８】
【補正対象書類名】明細書
【補正対象項目名】０１２４
【補正方法】削除
【補正の内容】
【手続補正３９】
【補正対象書類名】明細書
【補正対象項目名】０１２６
【補正方法】削除
【補正の内容】
【手続補正４０】
【補正対象書類名】明細書
【補正対象項目名】０１２７
【補正方法】削除
【補正の内容】
【手続補正４１】
【補正対象書類名】明細書
【補正対象項目名】０１２８
【補正方法】削除
【補正の内容】
【手続補正４２】
【補正対象書類名】明細書
【補正対象項目名】０１２９
【補正方法】削除
【補正の内容】
【手続補正４３】
【補正対象書類名】明細書
【補正対象項目名】０１３０
【補正方法】削除
【補正の内容】
【手続補正４４】
【補正対象書類名】明細書
【補正対象項目名】０１３１
【補正方法】削除
【補正の内容】
【手続補正４５】
【補正対象書類名】明細書
【補正対象項目名】０１３２
【補正方法】削除
【補正の内容】
【手続補正４６】
【補正対象書類名】明細書
【補正対象項目名】０１３３
【補正方法】削除
【補正の内容】